(57)【要約】【課題】    本発明は類似した傘等や、紐やチェーンのついたぶら下がるマークつまりマスコット等の付けられなかった商品に簡単に取り付け可能で、外れにくく固定することが可能なオリジナルマークを作るための止め具を主要な特徴とする。【解決手段】  アクセサリーの取り付け部となる基台部と、上記基台部と対向しアクセサリーを取り付けるべき対象物へ取り付けるための取り付け部を備えた本体を有し、上記取り付け部の少なくとも一端に孔を設けるとともに、上記取り付け部の内面側に複数の係止部を設けた。【選択図】図１
2013094201.tif 000002
【特許請求の範囲】
【請求項１】
アクセサリーの取り付け部となる基台部と、上記基台部と対向しアクセサリーを取り付けるべき対象物へ取り付けるための取り付け部を備えた本体を有し、上記取り付け部の少なくとも一端に孔を設けるとともに、上記取り付け部の内面側に複数の係止部を設けたアクセサリー止め具。
【請求項２】
上記本体は断面Ｕ字状に形成され、かつ、上記係止部は係止爪である請求項１記載のアクセサリー止め具。
【請求項３】
上記本体は金属板をＵ字状に折り曲げて形成されたものであり、かつ、上記係止部は切り起こし部である請求項１記載のアクセサリー止め具。
【請求項４】
本体が扁平なリング状に一体に形成されたものである請求項１記載のアクセサリー止め具。
【請求項５】
アクセサリーの取り付け部となる基台部と、上記基台部と対向し、アクセサリーを取り付けるべき対象物へ取り付けるための取り付け部を備えた本体を有し、上記取り付け部の少なくとも一端に孔を設けるとともに、上記取り付け部の内面側に複数の係止部を設け、さらに上記取り付け部に設けた孔に上記本体を対象物へ締め付け固定するため伸縮性を有する紐状体を通して固定したアクセサリー止め具。
【請求項６】
紐状体の上記孔側の端部はループ状に形成されている請求項５記載のアクセサリー止め具。
【発明の詳細な説明】
【技術分野】
【０００１】
本発明は、似たような物にマークとなるアクセサリーを付け識別しやすくするためのアクセサリー止め具に関するものである。
【背景技術】
【０００２】
ビニル傘は同じような色、デザインのため自分のものと他人の物を区別しにくい。ビニル部分に模様が入った物もあるが、模様の種類を増やすことやビニル傘の色やデザインの種類を増やす等はコスト面でも大変である。
【０００３】
児童傘のような濃い色の傘では取っ手に名前を記入しても分かりにくく字が消えてしまいやすい。シールを貼って区別することも可能ではあるが、美観上好ましくなく、シール跡も粘つき汚れ易く、問題が多い。
【０００４】
特開２００６−２６２９５２のようにバンドでアクセサリーを固定する方法もあるがバンドは取り付けた位置に固定できないので重力により垂れ下がってしまい、識別マークとなるものを付けるべきところに付けられないので傘などには適用できないという問題がある。
【先行技術文献】
【特許文献】
【０００５】
【特許文献１】特開２００６−２６２９５２
【発明の概要】
【発明が解決しようとする課題】
【０００６】
本発明は傘の柄等のアクセサリーを取り付けたい場所だけでなく、アクセサリーやマスコット等の付けられない商品に、簡単に、かつ第三者が容易に取り外すことが出来ないようにアクセサリーを取り付けることが出来るアクセサリー止め具を提供しようとするものである。
【課題を解決するための手段】
【０００７】
請求項１記載の発明は、アクセサリーの取り付け部となる基台部と、基台部と対向しアクセサリーを取り付けるべき対象物への取り付けるための取り付け部を備えた本体を有し、上記取り付け部の少なくとも一端に孔を設けるとともに、上記取り付け部の内面側に複数の係止部を設けた。
【０００８】
請求項２記載の発明は、上記本体は断面Ｕ字状に形成され、かつ、上記係止部を係止爪で構成した。
【０００９】
請求項３記載の発明は、上記本体は金属板をＵ字状に折り曲げて形成されたものであり、かつ、上記係止部は切り起こし部である。
【００１０】
請求項４記載の発明は本体が扁平なリング状に一体に形成されたものである。
【００１１】
請求項５記載の発明はアクセサリーの取り付け部となる基台部と、基台部と対向しアクセサリーを取り付けるべき対象物へ取り付けるための取り付け部を備えた本体を有し、上記取り付け部の少なくとも一端に孔を設けるとともに、上記取り付け部の内面側に複数の係止部を設け、さらに上記取り付け部に設けた孔に上記本体を対象物へ締め付け固定する
ため伸縮性を有する紐状体を通して固定した。
【００１２】
請求項６記載の発明は紐状体の上記孔側の端部をループ状に形成した。
【発明の効果】
【００１３】
請求項１の発明によれば、基台部に色々なアクセサリーを取り付けることが出来、言わばオリジナルなデコを施すことができるので、同じようなデザインの傘などにオリジナルマークが出来るので、名前を記してなくても自分の物と他人のものを区別し易くなる。
【００１４】
更に取り付け部と基台部との間に隙間があるので係止部を隙間に隠せることとなり、係止部を見栄え良く処理することが可能となる。
【００１５】
更に係止部が複数設けられているので、それがアジャスターの機能を果たし、締め付けて固定するための伸縮性の紐状体が緩みにくく、確実に目的の位置に固定されることになる。
【００１６】
また更に、本発明のアクセサリー止め具にゴム紐を取り付けて使用する時にはアクセサリー止め具は部品なので装飾を施すことにより本体が隠れてしまうため、見える部分は全て自分の好みのデザインにする事が可能と言える。
【００１７】
更に、傘の柄などの取り付け対象物に締め付け固定するため伸縮性紐状体の材質、デザイン、長さなどを自由に選んで、使用することが出来る。
【００１８】
請求項２の発明によれば、構造が簡単で軽量な取り付け具が構成できる。
【００１９】
請求項３の発明によれば、金属板を用いて、簡単にプレス成型できるので、製造が簡単でコストを低減できる。
【００２０】
請求項４の発明によれば、基台部の厚みを薄くしてもつぶれにくく、強固になり一層軽量化が可能になる。
【００２１】
請求項５の発明によれば、締め付け固定用の伸縮性の紐状態が備わっているため、基台部に好みのアクセサリーを取り付けるだけで、そのまま傘の柄などに簡単に、アクセサリーを取り付けることが可能になる。
【００２２】
請求項６の発明によれば、締め付け固定用の伸縮性の紐状体を、係止部へ簡単に引っ掛け固定することが可能となり、取り付け作業が簡単になる。
【図面の簡単な説明】
【００２３】
【図１】本発明のアクセサリー止め具の展開図
【図２】同平面図
【図３】同底面図
【図４】同正面図
【図５】（Ａ）本発明の第２実施例正面図、（Ｂ）側板の斜視図
【図６】本発明のアクセサリー止め具の正面図に伸縮性を有する紐状体を付けた図
【図７】傘の柄に取り付ける方法を示す一部断正面図
【図８】傘の柄に取り付けた状態を示す一部断正面図
【図９】傘の柄に取り付けた平面図
【図１０】鞄の取っ手に星とウサギのアクセサリーを取り付けた例の斜視図
【発明を実施するための形態】
【実施例１】
【００２４】
図１は本発明のアクセサリー止め具の展開図であって、１０は本体で、銅又は銅合金やアルミニウム又はアルミニウム合金等の金属板を打ち抜くことにより形成され、切り込み部２−ａ、切り込み部２−ｂ、切り込み部２−４、ゴム紐通し孔１、セカンドアクセサリー取り付用等多目的孔３も打ち抜かれる。
【００２５】
４はアクセサリーを取り付ける基板となる基台部、５は取り付け対象物（図示せず）へ取り付けるための取り付け部である。
【００２６】
ゴム紐通し孔1の形状は、紐の断面の形状に合わせる。例えば、平たい紐（ゴム紐）を
使うのであれば長方形のような形の孔になり、丸紐の場合は円形の孔になる。
【００２７】
切り込み部２−ａ、切り込み部２−ｂにより形成された舌状部２−１、舌状部２−２は図の右側に起こして鍵状に曲げ、図４の鍵状に形成された切り起こし部２−１、切り起こし部２−２をそれぞれ形成する。切り起こし部２−１、切り起こし部２−２が異なる位置に設けられているため、取り付け対象物に本体１０をゴム紐で締め付け固定する際アジャスターの役目をすることになる。
【００２８】
切り込み部２−４によって形成された舌状部２−３は曲げないので、切り起こし部は形成されない。本体１０を図１のＡ−Ａ’線に沿って基台部４と取り付け部５が一定の間隔をあけて平行に対向するよう折り曲げる。
【００２９】
折り曲げた状態を示すのが、図２、図３及び図４である。図2の平面図に示すように、
舌状部２−３とセカンドアクセサリー取り付用等多目的孔３が端部から露出するとともに折り曲げ部分には切り込み部２−４による開口部６が形成される。
【００３０】
基台部４の外面はアクセサリーが取り付けやすくなるように、例えば接着剤で接着し易いように粗面化するなどの工夫を施すこともできる。
【００３１】
図６は本体１０に締め付け固定用ゴム紐、アクセサリーを取り付けた状態を示す図であり、先端にループ部11を設けたゴム紐１１−１をゴム紐通し孔1に通して固定する。図
６の例ではゴム紐１１−１として、ビーズ等用いてデザインを工夫しながら編みこんだものを用いている。基台部４の外面には飾りとなる装飾物、つまり第１のアクセサリー７を、その素材に合わせた接着剤で貼り付ける。
【００３２】
この実施例では基台部４に第一のアクセサリー７を貼り付けて固定したが、アクセサリーの形状や材質によっては基台部４に孔をあけて、アクセサリーをはめ込んで固定するようにしてもよく、またスライドさせてはめ込むと言う構造にすることは可能である。
【００３３】
この例では、セカンドアクセサリー取り付用等多目的孔３に第２のアクセサリー８を、チェーン８−１を用いてぶら下げてファッション性を高めている。
【００３４】
次にこのアクセサリー止め具を取り付け対象物、例えば傘の柄に固定する手順を説明する。まず取り付け部５を、取り付け対象物（傘の柄）９に当て、手で押さえる。次にループ部１１のあるゴム紐１１−１を、取り付け対象物（傘の柄）９に１周もしくは１周以上させ、開口部６の中にワイヤー等の引っ掛け棒１２で引っ掛けながらくぐらせ、アジャスターの役目の切り起こし部２−１、切り起こし部２−２のどちらかゴム紐の張力が丁度良い方に引っ掛け、ワイヤー等の引っ掛け棒１２を外して固定し取り付け完了となる。
【００３５】
つまり、ゴム紐のループ部分１１が図８のように切り起こし部２−２により引っかかった状態で確実に固定されることになる。
【００３６】
また、基台部４と取り付け部５を小さく作ることが出来るため、人の指が入るスペースを無くすことが可能となり、第三者には容易に外すことが出来ないようにすることができる。
【００３７】
しかし、取り付けたアクセサリーを取り替えたい場合には、ペンチやピンセット等で、内蔵されたゴム紐をつまみ外すことが可能である。つまり、ゴム紐が切れたりしても作り直せリサイクルが可能である。
【実施例２】
【００３８】
図５（Ａ）は第２の実施例を示すものであるが。図５（Ａ）において、ゴム紐通し孔１、セカンドアクセサリー取り付用等多目的孔３、基台部４、取り付け部５、開口部６、切り起こし部２−１、切り起こし部２−２は図４で説明したものと同じであるため説明を省略する。
【００３９】
図５（Ｂ）に示す側板１６が基台部４の開放端部と取付け部5の開放端部をつなぐよう
に、溶接により接着される。このようにして基台部４、側板１６、および取り付け部5が
リング状につながり、全体として扁平な筒状になる。
【００４０】
実施例１はでは、図４のように基台部４と取り付け部５が片側だけつながり、全体としてＵ字状に形成されていたが、実施例２では側板１６で溶接等により基台部４と取り付け部５の間をつなぎ、全体が扁平な筒状になるため、側板１６が補強板の役目を果たし、強度が上がり、つぶれにくく更に強固なものとなる。
【００４１】
使用方法は実施例１と同じである。また、前記側板１６には、図５（Ｂ）に示すような線状の凹み部１７があり、凹み部１７にループ部１１を引っ掛けて固定することも可能である。
【００４２】
この凹み部１７に沿ってゴム紐が引っかかり、凹み部１７の両端からはループ部１１が現れるが、基台部４と取り付け部５の間の内側に位置するため、第三者の指が入らない。凹み部１７も細く小さいため指が入らず第三者は容易に外せない。
【００４３】
実施例１のループ部１１が細長く、ある程度硬さがあればワイヤーの引っ掛け棒が不要になる。
【００４４】
セカンドアクセサリー取り付用等多目的孔３は使用者の自由に使ってもらっても構わない。チェーンやポイントとなるアクセサリーをぶら下げるとオリジナル性も高まり識別力が高まる。
【００４５】
また、ゴム紐を好みで長くすることで取り付対象物に数回巻くデザインが可能である。ゴム紐の素材は摩擦抵抗の高い素材が好ましく、このような素材であれば、例えば傘のつるつるした持ち手部からカバンの丸みのある持ち手部等、細長いものなら断面形状が楕円や六角形のものでもなじみやすく、かつ、良くフィットするので、取り付対象物を傷つけることも少ない。
【００４６】
本発明の取り付け具を取り付けた例として図９に花の飾りのアクセサリー７を付けた場合の実施例を示す。また、図１０に鞄２２への取り付け例として星のアクセサリー１８を、編み込みやアクセサリーが施されたゴム紐１９により、またウサギのアクセサリー２０
を編み込みやアクセサリーが施されたゴム紐２１により、鞄の取っ手２３に付けた場合の実施例を示す。
【産業上の利用可能性】
【００４７】
学生のカバン、スポーツバックの持ち手部、リュックショルダー帯部に１個もしくは数個付けることによりファッション性を高める事が出来、学生などのカバンなどであれば生徒みな同じカバンなので区別の効果が高まる。
【符号の説明】
【００４８】
１      ゴム紐通し孔
２−ａ  切り込み部
２−ｂ  切り込み部
２−１  舌状部（切り起こし部）
２−２  舌状部（切り起こし部）
２−３  舌状部
２−４  切込み部
３      セカンドアクセサリー取り付用等多目的孔
４      基台部
５      取付け部
６      開口部
７      第１のアクセサリー
８      第２のアクセサリー
９      取り付対象物（例として傘の柄）
１０    本体
１１    ループ部
１１−１ゴム紐
１２    ワイヤー等の引っ掛け棒
１３    ワイヤー等の引っ掛け棒を通すための孔
１６    側板
１７    凹み部
１８    星のアクセサリー
１９    編み込みやアクセサリーが施されたゴム紐
２０    ウサギのアクセサリー
２１    編み込みやアクセサリーが施されたゴム紐
２２    鞄
２３    鞄の取っ手
【図１】
2013094201.tif 000003
【図２】
2013094201.tif 000004
【図３】
2013094201.tif 000005
【図４】
2013094201.tif 000006
【図５】
2013094201.tif 000007
【図６】
2013094201.tif 000008
【図７】
2013094201.tif 000009
【図８】
2013094201.tif 000010
【図９】
2013094201.tif 000011
【図１０】
2013094201.tif 000012
【手続補正書】
【提出日】平成24年3月16日(2012.3.16)
【手続補正１】
【補正対象書類名】明細書
【補正対象項目名】全文
【補正方法】変更
【補正の内容】
【発明の詳細な説明】
【技術分野】
【０００１】
本発明は、似たような物にマークとなるアクセサリーを付け識別しやすくするためのア
クセサリー止め具に関するものである。
【背景技術】
【０００２】
ビニル傘は同じような色、デザインのため自分のものと他人の物を区別しにくい。ビニ
ル部分に模様が入った物もあるが、模様の種類を増やすことやビニル傘の色やデザインの
種類を増やす等はコスト面でも大変である。
【０００３】
児童傘のような濃い色の傘では取っ手に名前を記入しても分かりにくく字が消えてしま
いやすい。シールを貼って区別することも可能ではあるが、美観上好ましくなく、シール
跡も粘つき汚れ易く、問題が多い。
【０００４】
特開２００６−２６２９５２のようにバンドでアクセサリーを固定する方法もあるがバ
ンドは取り付けた位置に固定できないので重力により垂れ下がってしまい、識別マークと
なるものを付けるべきところに付けられないので傘などには適用できないという問題があ
る。
【先行技術文献】
【特許文献】
【０００５】
【特許文献１】特開２００６−２６２９５２
【発明の概要】
【発明が解決しようとする課題】
【０００６】
本発明は傘の柄等のアクセサリーを取り付けたい場所だけでなく、アクセサリーやマス
コット等の付けられない商品に、簡単に、かつ第三者が容易に取り外すことが出来ないよ
うにアクセサリーを取り付けることが出来るアクセサリー止め具を提供しようとするもの
である。
【課題を解決するための手段】
【０００７】
請求項１記載の発明は、アクセサリーの取り付け部となる基台部と、上記基台部と対向
しアクセサリーを取り付けるべき対象物へ取り付けるための取り付け部を備えた断面Ｕ字
状に形成された本体を有し、上記取り付け部の少なくとも一端に孔を設けるとともに、上
記取り付け部の内面側に複数の係止爪を設けた。
【０００８】
請求項２記載の発明は、アクセサリーの取り付け部となる基台部と、上記基台部と対向
しアクセサリーを取り付けるべき対象物へ取り付けるための取り付け部を備えた断面Ｕ字
状に形成された本体を有し、上記取り付け部の少なくとも一端に孔を設けるとともに、上
記取り付け部の内面側に複数の係止爪を設け、さらに上記取り付け部に設けた孔に上記本
体を対象物へ締め付け固定するため伸縮性を有する紐状体を通して固定した。
【０００９】
請求項３記載の発明は、請求項２記載のアクセサリー止め具の紐状体の上記孔側の端部
をループ状に形成した。
【発明の効果】
【００１０】
請求項１の発明によれば、基台部に色々なアクセサリーを取り付けることが出来、言わ
ばオリジナルなデコを施すことができるので、同じようなデザインの傘などにオリジナル
マークが出来るので、名前を記してなくても自分の物と他人のものを区別し易くなる。
【００１１】
更に取り付け部と基台部との間に隙間があるので係止爪を隙間に隠せることとなり、係
止爪を見栄え良く処理することが可能となる。
【００１２】
更に係止爪が複数設けられているので、それがアジャスターの機能を果たし、締め付け
て固定するための伸縮性の紐状体が緩みにくく、確実に目的の位置に固定されることにな
る。
【００１３】
また更に、本発明のアクセサリー止め具にゴム紐を取り付けて使用する時にはアクセサ
リー止め具は部品なので装飾を施すことにより本体が隠れてしまうため、見える部分は全
て自分の好みのデザインにする事が可能と言える。
【００１４】
更に、傘の柄などの取り付け対象物に締め付け固定するため伸縮性紐状体の材質、デザ
イン、長さなどを自由に選んで、使用することが出来る。
【００１５】
また、構造が簡単で軽量な取り付け具が構成できる。
金属板を用いて、簡単にプレス成型できるので、製造が簡単でコストを低減できる。
【００１６】
請求項２の発明によれば、締め付け固定用の伸縮性の紐状態が備わっているため、基台
部に好みのアクセサリーを取り付けるだけで、そのまま傘の柄などに簡単に、アクセサリ
ーを取り付けることが可能になる。
【００１７】
請求項３の発明によれば、締め付け固定用の伸縮性の紐状体を、係止部へ簡単に引っ掛
け固定することが可能となり、取り付け作業が簡単になる。
【図面の簡単な説明】
【００１８】
【図１】本発明のアクセサリー止め具の展開図
【図２】同平面図
【図３】同底面図
【図４】同正面図
【図５】（Ａ）本発明の第２実施例正面図、（Ｂ）側板の斜視図
【図６】本発明のアクセサリー止め具の正面図に伸縮性を有する紐状体を付けた図
【図７】傘の柄に取り付ける方法を示す一部断正面図
【図８】傘の柄に取り付けた状態を示す一部断正面図
【図９】傘の柄に取り付けた平面図
【図１０】鞄の取っ手に星とウサギのアクセサリーを取り付けた例の斜視図
【発明を実施するための形態】
【実施例１】
【００１９】
図１は本発明のアクセサリー止め具の展開図であって、１０は本体で、銅又は銅合金や
アルミニウム又はアルミニウム合金等の金属板を打ち抜くことにより形成され、切り込み
部２−ａ、切り込み部２−ｂ、切り込み部２−４、ゴム紐通し孔１、セカンドアクセサリ
ー取り付用等多目的孔３も打ち抜かれる。
【００２０】
４はアクセサリーを取り付ける基板となる基台部、５は取り付け対象物（図示せず）へ
取り付けるための取り付け部である。
【００２１】
ゴム紐通し孔1の形状は、紐の断面の形状に合わせる。例えば、平たい紐（ゴム紐）を
使うのであれば長方形のような形の孔になり、丸紐の場合は円形の孔になる。
【００２２】
切り込み部２−ａ、切り込み部２−ｂにより形成された舌状部２−１、舌状部２−２は
図の右側に起こして鍵状に曲げ、図４の鍵状に形成された切り起こし部２−１、切り起こ
し部２−２をそれぞれ形成する。切り起こし部２−１、切り起こし部２−２が異なる位置
に設けられているため、取り付け対象物に本体１０をゴム紐で締め付け固定する際アジャ
スターの役目をすることになる。
【００２３】
切り込み部２−４によって形成された舌状部２−３は曲げないので、切り起こし部は形
成されない。本体１０を図１のＡ−Ａ’線に沿って基台部４と取り付け部５が一定の間隔
をあけて平行に対向するよう折り曲げる。
【００２４】
折り曲げた状態を示すのが、図２、図３及び図４である。図2の平面図に示すように、
舌状部２−３とセカンドアクセサリー取り付用等多目的孔３が端部から露出するとともに
折り曲げ部分には切り込み部２−４による開口部６が形成される。
【００２５】
基台部４の外面はアクセサリーが取り付けやすくなるように、例えば接着剤で接着し易
いように粗面化するなどの工夫を施すこともできる。
【００２６】
図６は本体１０に締め付け固定用ゴム紐、アクセサリーを取り付けた状態を示す図であ
り、先端にループ部11を設けたゴム紐１１−１をゴム紐通し孔1に通して固定する。図
６の例ではゴム紐１１−１として、ビーズ等用いてデザインを工夫しながら編みこんだも
のを用いている。基台部４の外面には飾りとなる装飾物、つまり第１のアクセサリー７を
、その素材に合わせた接着剤で貼り付ける。
【００２７】
この実施例では基台部４に第一のアクセサリー７を貼り付けて固定したが、アクセサリ
ーの形状や材質によっては基台部４に孔をあけて、アクセサリーをはめ込んで固定するよ
うにしてもよく、またスライドさせてはめ込むと言う構造にすることは可能である。
【００２８】
この例では、セカンドアクセサリー取り付用等多目的孔３に第２のアクセサリー８を、
チェーン８−１を用いてぶら下げてファッション性を高めている。
【００２９】
次にこのアクセサリー止め具を取り付け対象物、例えば傘の柄に固定する手順を説明す
る。まず取り付け部５を、取り付け対象物（傘の柄）９に当て、手で押さえる。次にルー
プ部１１のあるゴム紐１１−１を、取り付け対象物（傘の柄）９に１周もしくは１周以上
させ、開口部６の中にワイヤー等の引っ掛け棒１２で引っ掛けながらくぐらせ、アジャス
ターの役目の切り起こし部２−１、切り起こし部２−２のどちらかゴム紐の張力が丁度良
い方に引っ掛け、ワイヤー等の引っ掛け棒１２を外して固定し取り付け完了となる。
【００３０】
つまり、ゴム紐のループ部分１１が図８のように切り起こし部２−２により引っかかっ
た状態で確実に固定されることになる。
【００３１】
また、基台部４と取り付け部５を小さく作ることが出来るため、人の指が入るスペース
を無くすことが可能となり、第三者には容易に外すことが出来ないようにすることができ
る。
【００３２】
しかし、取り付けたアクセサリーを取り替えたい場合には、ペンチやピンセット等で、
内蔵されたゴム紐をつまみ外すことが可能である。つまり、ゴム紐が切れたりしても作り
直せリサイクルが可能である。
【実施例２】
【００３３】
図５（Ａ）は第２の実施例を示すものであるが。図５（Ａ）において、ゴム紐通し孔１
、セカンドアクセサリー取り付用等多目的孔３、基台部４、取り付け部５、開口部６、切
り起こし部２−１、切り起こし部２−２は図４で説明したものと同じであるため説明を省
略する。
【００３４】
図５（Ｂ）に示す側板１６が基台部４の開放端部と取付け部5の開放端部をつなぐよう
に、溶接により接着される。このようにして基台部４、側板１６、および取り付け部5が
リング状につながり、全体として扁平な筒状になる。
【００３５】
実施例１はでは、図４のように基台部４と取り付け部５が片側だけつながり、全体とし
てＵ字状に形成されていたが、実施例２では側板１６で溶接等により基台部４と取り付け
部５の間をつなぎ、全体が扁平な筒状になるため、側板１６が補強板の役目を果たし、強
度が上がり、つぶれにくく更に強固なものとなる。
【００３６】
使用方法は実施例１と同じである。また、前記側板１６には、図５（Ｂ）に示すような
線状の凹み部１７があり、凹み部１７にループ部１１を引っ掛けて固定することも可能で
ある。
【００３７】
この凹み部１７に沿ってゴム紐が引っかかり、凹み部１７の両端からはループ部１１が
現れるが、基台部４と取り付け部５の間の内側に位置するため、第三者の指が入らない。
凹み部１７も細く小さいため指が入らず第三者は容易に外せない。
【００３８】
実施例１のループ部１１が細長く、ある程度硬さがあればワイヤーの引っ掛け棒が不要
になる。
【００３９】
セカンドアクセサリー取り付用等多目的孔３は使用者の自由に使ってもらっても構わな
い。チェーンやポイントとなるアクセサリーをぶら下げるとオリジナル性も高まり識別力
が高まる。
【００４０】
また、ゴム紐を好みで長くすることで取り付対象物に数回巻くデザインが可能である。
ゴム紐の素材は摩擦抵抗の高い素材が好ましく、このような素材であれば、例えば傘のつ
るつるした持ち手部からカバンの丸みのある持ち手部等、細長いものなら断面形状が楕円
や六角形のものでもなじみやすく、かつ、良くフィットするので、取り付対象物を傷つけ
ることも少ない。
【００４１】
本発明の取り付け具を取り付けた例として図９に花の飾りのアクセサリー７を付けた場
合の実施例を示す。また、図１０に鞄２２への取り付け例として星のアクセサリー１８を
、編み込みやアクセサリーが施されたゴム紐１９により、またウサギのアクセサリー２０
を編み込みやアクセサリーが施されたゴム紐２１により、鞄の取っ手２３に付けた場合の
実施例を示す。
【産業上の利用可能性】
【００４２】
学生のカバン、スポーツバックの持ち手部、リュックショルダー帯部に１個もしくは数
個付けることによりファッション性を高める事が出来、学生などのカバンなどであれば生
徒みな同じカバンなので区別の効果が高まる。
【符号の説明】
【００４３】
１      ゴム紐通し孔
２−ａ  切り込み部
２−ｂ  切り込み部
２−１  舌状部（切り起こし部）
２−２  舌状部（切り起こし部）
２−３  舌状部
２−４  切込み部
３      セカンドアクセサリー取り付用等多目的孔
４      基台部
５      取付け部
６      開口部
７      第１のアクセサリー
８      第２のアクセサリー
９      取り付対象物（例として傘の柄）
１０    本体
１１    ループ部
１１−１ゴム紐
１２    ワイヤー等の引っ掛け棒
１３    ワイヤー等の引っ掛け棒を通すための孔
１６    側板
１７    凹み部
１８    星のアクセサリー
１９    編み込みやアクセサリーが施されたゴム紐
２０    ウサギのアクセサリー
２１    編み込みやアクセサリーが施されたゴム紐
２２    鞄
２３    鞄の取っ手
【手続補正２】
【補正対象書類名】特許請求の範囲
【補正対象項目名】全文
【補正方法】変更
【補正の内容】
【特許請求の範囲】
【請求項１】
アクセサリーの取り付け部となる基台部と、上記基台部と対向しアクセサリーを取り付
けるべき対象物へ取り付けるための取り付け部を備えた断面Ｕ字状に形成された本体を有
し、上記取り付け部の少なくとも一端に孔を設けるとともに、上記取り付け部の内面側に
複数の係止爪を設けたアクセサリー止め具。
【請求項２】
アクセサリーの取り付け部となる基台部と、上記基台部と対向しアクセサリーを取り付
けるべき対象物へ取り付けるための取り付け部を備えた断面Ｕ字状に形成された本体を有
し、上記取り付け部の少なくとも一端に孔を設けるとともに、上記取り付け部の内面側に
複数の係止爪を設け、さらに上記取り付け部に設けた孔に上記本体を対象物へ締め付け固
定するため伸縮性を有する紐状体を通して固定したアクセサリー止め具。
【請求項３】
紐状体の上記孔側の端部はループ状に形成されている請求項２記載のアクセサリー止め
具。